(57)【要約】      （修正有）【課題】ソーラーパネルの接続ケーブルを下方に垂れ下がることなく収容設置できると共に、接続ケーブルの劣化も防止できるソーラーパネル用架台を提供する。【解決手段】取付架台２の後側横枠部５は、屋根に固定される架台支持金具に固定可能な横長の基板部６の上方に架台本体２の後方に折曲されたソーラーパネル１取付用のパネル取付板部を有する形状に構成し、このパネル取付板部の後端板部を下方に折曲することによりこの折曲板部を、ソーラーパネル１の接続ケーブル９をパネル取付板部の下方に収容可能なケーブル収容部８とし、このケーブル収容部８に臨設する基板部６に、架台本体２に取付けられたソーラーパネル１の接続ケーブル９を、基板部６の後方側へ挿通してケーブル収容部８へと案内可能なケーブル通し部１０を設ける。【選択図】図２
0003182256.tif 000002
【実用新案登録請求の範囲】
【請求項１】
ソーラーパネルを取付可能な架台本体の前後に、屋根に固定される架台支持金具に固定可能な前側横枠部と後側横枠部を設けたソーラーパネル用架台において、前記後側横枠部は、金属板を折曲形成した構成として、前記架台支持金具に固定可能な横長の基板部の上方に架台本体の後方に折曲された前記ソーラーパネル取付用のパネル取付板部を有する形状に構成し、このパネル取付板部の後端板部を下方にＬ字状，Ｕ字状，Ｊ字状若しくはコ字状に折曲することによりこの折曲板部を、前記ソーラーパネル同士を接続する接続ケーブルをパネル取付板部の下方に収容可能なケーブル収容部とし、このケーブル収容部に臨設する前記基板部に、前記架台本体に取付けられたソーラーパネルの接続ケーブルを、基板部の後方側へ挿通して前記ケーブル収容部へと案内可能なケーブル通し部を設けたことを特徴とするソーラーパネル用架台。
【請求項２】
前記パネル取付板部の後端板部を下方へ折曲してこの下方折曲板部を紫外線や雨などの劣化要因から遮蔽する遮蔽板部とし、この遮蔽板部の下端部を前方へ折曲してこの前方折曲板部を前記ソーラーパネルの接続ケーブルを載置可能なケーブル載置板部とし、この遮蔽板部とケーブル載置板部とで前記ケーブル収容部を構成したことを特徴とする請求項１記載のソーラーパネル用架台。
【請求項３】
前記ケーブル通し部は、前記後側横枠部の基板部の上部に、この後側横枠部の長さ方向に間隔を置いて複数並設状態に設けた貫通孔で構成したことを特徴とする請求項１，２のいずれか１項に記載のソーラーパネル用架台。
【請求項４】
前記前側横枠部は、下部に前記架台支持金具に固定可能な金具固定用板部を側方に向けて突設した構成とし、前記後側横枠部は、前記基板部の下部に前記架台支持金具に固定可能な金具固定用板部を側方に向けて突設した構成とし、この前側横枠部及び後側横枠部の金具固定用板部を載置支承可能な載置部と前記架台支持金具に取付可能な取付部とを有する架台支承具と、この架台支承具の載置部に載置支承した前記金具固定用板部を上方から押え付け可能な押え部と前記架台支持金具に固定可能な固定部とを有する架台押え具とを備えて、前記取付部を介して架台支持金具に取付けられた前記架台支承具の載置部に載置支承した前記金具固定用板部を、前記固定部を介して架台支持金具に固定された前記架台押え具の押え部で上方から押え付けることにより、前記架台本体を前記架台支持金具に固定可能な構成としたことを特徴とする請求項１〜３のいずれか１項に記載のソーラーパネル用架台。
【請求項５】
上部に取付ボルトを立設状態に設けた前記架台支持金具のこの取付ボルトを挿通可能な前記取付部としての取付孔を前記架台支承具に設け、前記取付ボルトを挿通可能な前記固定部としての固定孔を前記架台押え具に設けて、前記取付ボルトを前記取付孔に挿通することで架台支持金具に取付けした前記架台支承具の前記載置部に、前記金具固定用板部を載置支承し、この載置部に載置支承した金具固定用板部を、前記取付ボルトを前記固定孔に挿通することで架台支持金具に取付けした前記架台押え具を前記取付ボルトで締付固定若しくは前記取付ボルトに螺着したナットで締付固定することにより、この架台押え具の前記押え部で上方から押え付け固定する構成としたことを特徴とする請求項４記載のソーラーパネル用架台。
【考案の詳細な説明】
【技術分野】
【０００１】
本考案は、屋根上にソーラーパネルを取付けするためのソーラーパネル用架台に関するものである。
【背景技術】
【０００２】
ソーラーパネルの設置が考慮されていない建築物の屋根へのソーラーパネルの取付工法として、架台を使用する工法が知られている。
【０００３】
具体的には、屋根に固定された架台支持金具に架台を固定し、この架台にソーラーパネルを取付ける工法である。
【０００４】
このようにして、架台を介して屋根上に多数並設状態に取付けられたソーラーパネルは、夫々の接続ケーブル同士を接続して施工を完了する。
【考案の概要】
【考案が解決しようとする課題】
【０００５】
ソーラーパネルは、どのメーカーのものもこの接続ケーブルの長さがソーラーパネルの並設間隔以上に余裕のある長さに設定されているため、この接続ケーブルを結束材で束ねてまとめるようにはするものの、接続ケーブルがソーラーパネルの下方に（屋根上に）垂れ下がってしまい易い。
【０００６】
そして、積雪地域では、屋根上の積雪が滑落する際に下方に垂れ下がった接続ケーブルが一緒に浚われて接続ケーブル同士が外れてしまうことがあり、こうなってしまうとソーラーパネル下に潜り込んで接続ケーブルの再接続作業を行うことは非常に困難であった。
【０００７】
本考案は、このような問題点に注目し、これを解決しようとするもので、架台の後側にケーブル収容部を設けて、このケーブル収容部にソーラーパネルの接続ケーブルを下方に垂れ下がることなく収容できると共に、紫外線や雨などによる接続ケーブルの劣化も防止できる簡易構造のソーラーパネル用架台を提案するものである。
【課題を解決するための手段】
【０００８】
添付図面を参照して本考案の要旨を説明する。
【０００９】
ソーラーパネル１を取付可能な架台本体２の前後に、屋根Ｒに固定される架台支持金具３に固定可能な前側横枠部４と後側横枠部５を設けたソーラーパネル用架台において、前記後側横枠部５は、金属板を折曲形成した構成として、前記架台支持金具３に固定可能な横長の基板部６の上方に架台本体２の後方に折曲された前記ソーラーパネル１取付用のパネル取付板部７を有する形状に構成し、このパネル取付板部７の後端板部を下方にＬ字状，Ｕ字状，Ｊ字状若しくはコ字状に折曲することによりこの折曲板部を、前記ソーラーパネル１同士を接続する接続ケーブル９をパネル取付板部７の下方に収容可能なケーブル収容部８とし、このケーブル収容部８に臨設する前記基板部６に、前記架台本体２に取付けられたソーラーパネル１の接続ケーブル９を、基板部６の後方側へ挿通して前記ケーブル収容部８へと案内可能なケーブル通し部10を設けたことを特徴とするソーラーパネル用架台に係るものである。
【００１０】
また、前記パネル取付板部７の後端板部を下方へ折曲してこの下方折曲板部を紫外線や雨などの劣化要因から遮蔽する遮蔽板部11とし、この遮蔽板部11の下端部を前方へ折曲してこの前方折曲板部を前記ソーラーパネル１の接続ケーブル９を載置可能なケーブル載置板部12とし、この遮蔽板部11とケーブル載置板部12とで前記ケーブル収容部８を構成したことを特徴とする請求項１記載のソーラーパネル用架台に係るものである。
【００１１】
また、前記ケーブル通し部10は、前記後側横枠部５の基板部６の上部に、この後側横枠部５の長さ方向に間隔を置いて複数並設状態に設けた貫通孔10で構成したことを特徴とする請求項１，２のいずれか１項に記載のソーラーパネル用架台に係るものである。
【００１２】
また、前記前側横枠部４は、下部に前記架台支持金具３に固定可能な金具固定用板部13を側方に向けて突設した構成とし、前記後側横枠部５は、前記基板部６の下部に前記架台支持金具３に固定可能な金具固定用板部13を側方に向けて突設した構成とし、この前側横枠部４及び後側横枠部５の金具固定用板部13を載置支承可能な載置部15と前記架台支持金具３に取付可能な取付部16とを有する架台支承具14と、この架台支承具14の載置部15に載置支承した前記金具固定用板部13を上方から押え付け可能な押え部18と前記架台支持金具３に固定可能な固定部19とを有する架台押え具17とを備えて、前記取付部16を介して架台支持金具３に取付けられた前記架台支承具14の載置部15に載置支承した前記金具固定用板部13を、前記固定部19を介して架台支持金具３に固定された前記架台押え具17の押え部18で上方から押え付けることにより、前記架台本体２を前記架台支持金具３に固定可能な構成としたことを特徴とする請求項１〜３のいずれか１項に記載のソーラーパネル用架台に係るものである。
【００１３】
また、上部に取付ボルト20を立設状態に設けた前記架台支持金具３のこの取付ボルト20を挿通可能な前記取付部16としての取付孔16を前記架台支承具14に設け、前記取付ボルト20を挿通可能な前記固定部19としての固定孔19を前記架台押え具17に設けて、前記取付ボルト20を前記取付孔16に挿通することで架台支持金具３に取付けした前記架台支承具14の前記載置部15に、前記金具固定用板部13を載置支承し、この載置部15に載置支承した金具固定用板部13を、前記取付ボルト20を前記固定孔19に挿通することで架台支持金具３に取付けした前記架台押え具17を前記取付ボルト20で締付固定若しくは前記取付ボルト20に螺着したナット21で締付固定することにより、この架台押え具17の前記押え部18で上方から押え付け固定する構成としたことを特徴とする請求項４記載のソーラーパネル用架台に係るものである。
【考案の効果】
【００１４】
本考案は上述のように構成したから、架台本体に取付けられたソーラーパネルの接続ケーブルを、ケーブル通し部から基板部の後方側へ挿通してケーブル収容部に容易に収容できると共に、接続ケーブルを下方へ垂れ下げずにケーブル収容部に収容でき、しかもケーブル収容部に収容した接続ケーブルは、日光や風雨に晒されにくくなるため劣化を防止でき、その上、金属板を折曲形成して後側横枠部を構成し、この後側横枠部のパネル取付板部の後端板部を下方にＬ字状，Ｕ字状，Ｊ字状若しくはコ字状に折曲してこの折曲板部をケーブル収容部としたから、単に後側横枠部を構成する金属板を折曲するだけでケーブル収容部を有する後側横枠部を簡易に設計実現可能であると共に、この折曲形状によりパネル取付板部の補強作用も得られるなど、極めて実用性に優れた簡易構造のソーラーパネル用架台となる。
【００１５】
また、請求項２記載の考案においては、ケーブル収容部に収納した接続ケーブルの劣化を極めて効果的に防止できると共に、接続ケーブルを安定的に載置収容できる一層実用性に優れた構成のソーラーパネル用架台となる。
【００１６】
また、請求項３記載の考案においては、ソーラーパネルはメーカーによって接続ケーブルが設けられる位置が異なるが、どのメーカーのソーラーパネルも複数の貫通孔から適当な位置のものを選択して容易に接続ケーブルを基板部の後方側へ挿通してケーブル収容部へと収容できる一層実用性に優れた構成のソーラーパネル用架台となる。
【００１７】
また、請求項４記載の考案においては、一種類の架台本体だけで、屋根のどの位置にでも固定可能となり、しかも、架台支持金具の固定位置に拘らずに架台本体を固定できるため、ソーラーパネルの屋根上でのレイアウトの自由度が高く、どのような屋根に対しても設置し易いなど、一層実用性に優れた構成のソーラーパネル用架台となる。
【００１８】
また、請求項５記載の考案においては、前記作用・効果を確実に発揮し、上部に取付ボルトを立設状態に設けた架台支持金具を用いて確実に架台本体を押え付け固定できる架台支承具と架台押え具を簡易に設計実現可能となる一層実用性に優れた構成のソーラーパネル用架台となる。
【図面の簡単な説明】
【００１９】
【図１】本実施例の架台本体にソーラーパネルを取付けて、ケーブル収容部に接続ケーブルを収容した状態を示す斜視図である。
【図２】図１の別角度からの斜視図である。
【図３】本実施例の使用状態を示す斜視図である。
【図４】本実施例の使用状態を示す背面図である。
【図５】本実施例の使用状態を示す側面図である。
【図６】本実施例の前側横枠部の固定構造を示す部分拡大側面図である。
【図７】本実施例の後側横枠部の固定構造を示す部分拡大側面図である。
【図８】本実施例の架台支承具と架台押え具並びに本実施例で用いる架台支持金具を示す分解斜視図である。
【図９】本実施例の架台支承具と架台押え具を架台支持金具に固定した状態を示す斜視図である。
【図１０】本実施例の後側横枠部の固定構造を示す部分拡大斜視図である。
【図１１】図１０の側断面図である。
【図１２】ケーブル収容部の別例を示す部分拡大説明側面図である。
【考案を実施するための形態】
【００２０】
好適と考える本考案の実施形態を、図面に基づいて本考案の作用を示して簡単に説明する。
【００２１】
屋根Ｒに固定された架台支持金具３に、架台本体２の前側横枠部４と後側横枠部５を固定することで屋根Ｒ上にこの架台本体２を固定し、この架台本体２にソーラーパネル１を取付ける。
【００２２】
更に具体的には、金属板を折曲形成した構成の前記後側横枠部５は、その基板部６を架台支持金具３に固定し、基板部６上方の架台本体２の後方に折曲されたパネル取付板部７にソーラーパネル１を取付ける。
【００２３】
このようにして屋根Ｒ上に多数並設状態に取付けられたソーラーパネル１の接続ケーブル９を、基板部６に設けたケーブル通し部10から基板部６の後方側へ挿通し、この接続ケーブル９を、前記基板部６に臨設し且つ前記パネル取付板部７の後端板部を下方にＬ字状，Ｕ字状，Ｊ字状若しくはコ字状に折曲して成るケーブル収容部８に収容する。尚、ケーブル通し部10から基板部６の後方側へ挿通した接続ケーブル９は、隣接するソーラーパネル１の接続ケーブル９同士を接続してからケーブル収容部８に収容しても良いし、ケーブル収容部８に収容してから隣接するソーラーパネル１の接続ケーブル９同士を接続するようにしても良いが、ケーブル通し部10がケーブル収容部８に臨設しているので、このケーブル通し部10からケーブル収容部８へと接続ケーブル９を案内し易い。
【００２４】
すると、ケーブル収容部８に収容された接続ケーブル９は、長さが余っていても下方へは垂れ下がらず、そのため屋根Ｒ上の積雪の滑落によって接続が外れるような不具合は生じない。
【００２５】
また、ケーブル収容部８に収容された接続ケーブル９は、パネル取付板部７の下方にあって日光や風雨に晒されにくいので、劣化しにくい。
【００２６】
また、パネル取付板部７の後端板部を下方にＬ字状，Ｕ字状，Ｊ字状若しくはコ字状に折曲して成る本考案のケーブル収容部８は、単に後側横枠部５を構成する金属板を折曲するだけで構成可能であるので、このケーブル収容部８を有する後側横枠部５は簡易に設計実現可能であると共に、この折曲によってパネル取付板部７の補強作用も得られる。
【００２７】
ところで、ソーラーパネル１は様々なメーカーから提供されており、メーカー毎にセルの大きさや配列数が異なるためにパネル寸法が大きく異なり、しかも切りの良い数値でなく半端な寸法のものが多いため、ソーラーパネル用架台はメーカー毎にその寸法に合わせた専用品が用意されている。
【００２８】
そのため、この種のソーラーパネル用架台は、上部に取付ボルト20が立設状態に設けられた架台支持金具３を用いてナット21で締付固定するものが多いが、この固定構造の場合、架台の下部に設けるボルト穴をこの取付ボルト20の取付ピッチ（屋根上に固定される架台支持金具３の間隔）に合せて設ける必要があるが、架台支持金具３（取付ボルト20）の取付ピッチは、取付対象の屋根の態様毎に異なることになる上、上記したように架台の寸法も半端なことから屋根への設置位置によってもボルト穴の位置を異ならせる必要があるから、ボルト穴の位置が異なるものが大量に必要で在庫管理が煩わしく、現場でも、設置位置に適当なボルト穴を具備する架台を探すことが非常に厄介な作業となっていた。
【００２９】
そこで、例えば、前記前側横枠部４は、下部に前記架台支持金具３に固定可能な金具固定用板部13を側方に向けて突設した構成とし、前記後側横枠部５は、前記基板部６の下部に前記架台支持金具３に固定可能な金具固定用板部13を側方に向けて突設した構成とし、この前側横枠部４及び後側横枠部５の金具固定用板部13を載置支承可能な載置部15と前記架台支持金具３に取付可能な取付部16とを有する架台支承具14と、この架台支承具14の載置部15に載置支承した前記金具固定用板部13を上方から押え付け可能な押え部18と前記架台支持金具３に固定可能な固定部19とを有する架台押え具17とを備えて、前記取付部16を介して架台支持金具３に取付けられた前記架台支承具14の載置部15に載置支承した前記金具固定用板部13を、前記固定部19を介して架台支持金具３に固定された前記架台押え具17の押え部18で上方から押え付けることにより、前記架台本体２を前記架台支持金具３に固定可能な構成とすれば、取付ボルト20と架台のボルト孔との位置合せが全く不要となるので、取付ボルト20の取付ピッチに合せたボルト穴を具備する大量の架台の在庫は不要で一種類の架台本体２の在庫管理だけで良いことととなり、これにより現場での架台選択作業も不要となり、また、取付ボルト20の位置を問わずに架台本体２を固定できるため、ソーラーパネル１の屋根上での配置レイアウトの自由度が高く、どのような屋根に対しても設置し易く実用的となる。
【実施例】
【００３０】
本考案の具体的な実施例について図面に基づいて説明する。
【００３１】
本実施例は、ソーラーパネル１を取付可能な架台本体２の前後に、屋根Ｒに固定される架台支持金具３に固定可能な前側横枠部４と後側横枠部５を設けたソーラーパネル用架台に係るものである。
【００３２】
本実施例の架台本体２は、図１，図２，図５に示すように、前後に間隔を置いて配した前記前側横枠部４と前記後側横枠部５との間に、この前側横枠部４の左右両端部と後側横枠部５の左右両端部に架け渡すようにして細長い角棒状の連結桟22を架設固定して成る平面視方形枠状体に構成している。
【００３３】
また、前側横枠部４は、横長の帯状金属板を折曲形成した構成として、縦設する横長の基板部23の下部を側方（図面は前方）へ略直角に折曲してこの下部折曲板部を前記架台支持金具３に固定可能な金具固定用板部13とし、基板部23の上部を後方へやや上傾斜状に折曲してこの上部折曲板部を前記ソーラーパネル１取付用のパネル取付板部24としている（図５，図６参照。）。
【００３４】
また、後側横枠部５も、横長の帯状金属板を折曲形成した構成として、縦設する横長の基板部６の下部を側方（図面は後方）に略直角に折曲してこの下部折曲板部を前記架台支持金具３に固定可能な金具固定用板部13とし、基板部６の上部を後方へやや上傾斜状に折曲してこの上部折曲板部を前記ソーラーパネル１取付用のパネル取付板部７としている（図５，図７参照。）。
【００３５】
また、前側横枠部４と後側横枠部５とは、その高さ寸法（基板部23・６の高さ寸法）を、前側横枠部４の高さ寸法より後側横枠部５の高さ寸法を高く設定して、この前側横枠部４のパネル取付板部24と後側横枠部５のパネル取付板部７とに前後架け渡し状態に前記ソーラーパネル１を取付けると、ソーラーパネル１が後傾斜状態で取付けられる構成としている。
【００３６】
また、本実施例では、この後側横枠部５のパネル取付板部７の後端板部を下方に折曲することによりこの折曲板部を、前記ソーラーパネル１同士を接続する接続ケーブル９をパネル取付板部７の下方に収容可能なケーブル収容部８としている。
【００３７】
具体的には、図７に示すように、前記パネル取付板部７の後端板部を後ろ斜め下方へ折曲して小幅突出させ、この下方折曲板部を紫外線や雨などの劣化要因から遮蔽する遮蔽板部11とし、この遮蔽板部11の下端部を略水平に前方へ折曲して小幅突出させ、この前方折曲板部を前記ソーラーパネル１の接続ケーブル９を載置可能なケーブル載置板部12とし、この遮蔽板部11とケーブル載置板部12とで側断面略Ｌ字状の前記ケーブル収容部８を構成している。
【００３８】
また、図１２は、ケーブル収容部８の別例を示している。具体的には、前記遮蔽板部11の構成を異ならせた場合であって、前記パネル取付板部７の後端板部を後ろ斜め下方へ折曲して小幅突出させた後、鉛直下方へ折曲して小幅突出させて、このくの字状の下方折曲板部を紫外線や雨などの劣化要因から遮蔽する遮蔽板部11とした場合である。他の構成は同様である。
【００３９】
この別例のケーブル収容部８の場合、遮蔽板部11に鉛直下方への板部を有する分接続ケーブル９の収容量が増大することになるので、ソーラーパネル１を並列接続する場合のように接続ケーブル９の収容本数が増える場合にも良好に対応できる。また、この別例では、ケーブル載置板部12にバンド通し孔36を設けて、このバンド通し孔36を通した結束材37（結束バンド等）でケーブル載置板部12に載置した複数の接続ケーブル９を束ねて収容した場合を示している。
【００４０】
尚、このケーブル収容部８は、要はパネル取付板部７の下方に接続ケーブル９を収容できる形状であれば良く、例えば本実施例や別例以外にも、パネル取付板部７の後端板部を下方にＵ字状，Ｊ字状若しくはコ字状に折曲することによって構成しても良い。
【００４１】
また、このケーブル収容部８は、前記パネル取付板部７の後端板部の全範囲を折曲して、前記後側横枠部５の全長にわたるケーブル収容長を有する構成としている（図２，図３参照。）。
【００４２】
また、図面では、ケーブル載置板部12に載置収容した接続ケーブル９を、適宜なクリップ25で位置決め状態に収容した場合を示しているが、単にケーブル載置板部12に接続ケーブル９を載置収容するだけでも良い。
【００４３】
また、本実施例では、このケーブル収容部８に臨設する前記後側横枠部５の基板部６の上部に、前記架台本体２に取付けられたソーラーパネル１の接続ケーブル９（前側横枠部４と後側横枠部５との間に存している）を、基板部６の後方側へ挿通して前記ケーブル収容部８へと案内可能なケーブル通し部10を設けている。
【００４４】
具体的には、前記ケーブル通し部10は、前記後側横枠部５の基板部６の上部に、この後側横枠部５の長さ方向に間隔を置いて複数並設状態に設けた貫通孔10で構成している。更に詳しくは、図１，図２に示すように、前記基板部６の上部に、この後側横枠部５の長さ方向に等間隔を置いた左右両端位置と中央位置との三箇所に、前記接続ケーブル９より径大な丸孔形状の貫通孔10を貫通形成している。
【００４５】
次に、本実施例のソーラーパネル用架台の屋根Ｒへの取付構造を説明する。尚、図面は、ハゼ式折板屋根Ｒを取付対象とした場合を示している。
【００４６】
また、本実施例で採用する架台支持金具３は、図８，図９に示すように、金具本体26の上部に取付ボルト20を上向きにして立設突設し、この金具本体26下部の左右両側に折板屋根Ｒのハゼ部27を挟持する挟持部28を左右対向状態に設けると共に、この左右の挟持部28間に締付ボルト29を架設してこの締付ボルト29に螺着したナット（図示省略）を締付回動して左右の挟持部28間を幅狭くすることで、左右の挟持部28の対向間隔を狭めて前記ハゼ部27を締付挟持して折板屋根Ｒの山部上に固定し得るように構成している。
【００４７】
本実施例は、この前側横枠部４及び後側横枠部５の金具固定用板部13を載置支承可能な載置部15と前記架台支持金具３に取付可能な取付部16とを有する架台支承具14と、この架台支承具14の載置部15に載置支承した前記金具固定用板部13を上方から押え付け可能な押え部18と前記架台支持金具３に固定可能な固定部19とを有する架台押え具17とを備えている。
【００４８】
具体的には、本実施例の架台支承具14は、前側横枠部４及び後側横枠部５の前記金具固定用板部13を載置支承可能な載置部15と前記架台支持金具３に取付可能な取付部16とを有する構成としている。
【００４９】
更に詳しくは、架台支承具14は、図８に示すように、前記架台支持金具３の平坦上面部に載置可能な方形状の金属板で構成し、この金属板の中心部に前記取付ボルト20を挿通可能な取付孔16を貫通形成してこの取付孔16を前記取付部16とし、この架台支承具14の上面部を前記金具固定用板部13を載置支承可能な前記載置部15とし、この架台支承具14の下面を、前記架台支持金具３の平坦上面に載置重合し得るように構成している。
【００５０】
また、この架台支承具14は、図１１に示すように、対向側縁部を夫々下方へ略直角に折曲してこの対向位置の折曲片部を前記架台支持金具３の両外側面に接するズレ止め片30とすると共に、一方のズレ止め片30の中央部分を上方へ切り起こしてこの切り起こし片を前記前側横枠部４の前記基板部23及び前記後側横枠部５の前記基板部６に添わせる位置止め片31としている。
【００５１】
即ち、図１１に示すように、この架台支承具14は、前記架台支持金具３の取付ボルト20を取付孔16に挿通することで、架台支持金具３の平坦上面に下面を載置重合でき、この際にズレ止め片30が架台支持金具３の両外側面に接して位置ズレ防止状態となり、この位置ズレ防止状態の架台支承具14の載置部15に、前側横枠部４若しくは後側横枠部５の金具固定用板部13を、前記位置止め片31に前記基板部23若しくは前記基板部６を沿わせつつ載置し得るように構成している。
【００５２】
また、本実施例の架台押え具17は、架台支承具14の載置部15に載置支承した前記金具固定用板部13を上方から押え付け可能な押え部18と前記架台支持金具３に固定可能な固定部19とを有する構成としている。
【００５３】
更に詳しくは、架台押え具17は、図８，図９，図１１に示すように、架台支承具14より小型の帯状金属板を、側面視でその一側が他側に対し一段高くなる段差形状に形成すると共に、一側が断面転コ字状となる形状に折曲形成して構成し、この架台押え具17の一側の上段板部に前記取付ボルト20を挿通可能な固定孔19を貫通形成してこの固定孔19を前記固定部19とし、他側の下段板部を前記金具固定用板部13を上方から押え付け可能な前記押え部18としている。
【００５４】
また、この架台押え具17は、前記取付ボルト３を固定孔19に挿通した状態で、前記押え部18を前記架台支承具14の位置止め片31に向けて配設する構成とすると共に、この際、押え部18の先端部と位置止め片31との間に前記前側横枠部４の基板部23若しくは前記後側横枠部５の基板部６が縦設状態に配設可能な隙間を生じるように、押え部18の形状（幅寸法）を設定構成している（図１１参照。）。
【００５５】
そして、前記取付ボルト20を前記取付孔16に挿通することで架台支持金具３の上部（上面）に前記架台支承具14を載置し、この架台支承具14の前記載置部15に、前記前側横枠部４若しくは前記後側横枠部５の金具固定用板部13をその基板部23若しくは基板部６を前記位置止め片31に沿わせつつ載置支承し、次いで、前記取付ボルト20を前記固定孔19に挿通することで架台支承具14上に架台押え具17を載置して、この架台押え具17の前記押え部18を前記金具固定用板部13上に重合させ、次いで、架台押え具17の上方に突出している取付ボルト20の先端部にナット20を螺着してこのナット20を締付することにより、架台押え具17の前記押え部18で金具固定用板部13を上方から押え付け固定して、架台本体２（の前側横枠部４と後側横枠部５と）を架台支持金具３に固定する構成としている。
【００５６】
また、図面では、金具固定用板部13の先端部を略直角に上方へ折曲して前記架台押え具17の段差部下面に沿わせる位置決め片35とし、この位置決め片35が架台押え具17の段差部下面に沿設し、且つ前記基板部23若しくは前記基板部６が前記位置止め片31に沿設した状態で前記押え部18が金具固定用板部13を押え付け固定することによって、金具固定用板部13（前側横枠部４若しくは後側横枠部５）が強固な位置ズレ防止状態で押え付け固定される構成としている。
【００５７】
従って、このような固定構造の本実施例によれば、一種類の架台本体２だけで、折板屋根Ｒのどの位置にも固定可能となり、しかも、架台支持金具３の固定位置に拘らずに架台本体２を固定できるため、自由度の高いソーラーパネル１の設置レイアウト設計が可能となる。
【００５８】
図中符号32は座金、33は端子ボックス、34はパワーコンディショナーである。
【００５９】
尚、本考案は、本実施例に限られるものではなく、各構成要件の具体的構成は適宜設計し得るものである。
【符号の説明】
【００６０】
１  ソーラーパネル
２  架台本体
３  架台支持金具
４  前側横枠部
５  後側横枠部
６  基板部
７  パネル取付板部
８  ケーブル収容部
９  接続ケーブル
10  ケーブル通し部・貫通孔
11  遮蔽板部
12  ケーブル載置板部
13  金具固定用板部
14  架台支承具
15  載置部
16  取付部・取付孔
17  架台押え具
18  押え部
19  固定部・固定孔
20  取付ボルト
21  ナット
Ｒ  屋根
【図１】
0003182256.tif 000003
【図２】
0003182256.tif 000004
【図３】
0003182256.tif 000005
【図４】
0003182256.tif 000006
【図５】
0003182256.tif 000007
【図６】
0003182256.tif 000008
【図７】
0003182256.tif 000009
【図８】
0003182256.tif 000010
【図９】
0003182256.tif 000011
【図１０】
0003182256.tif 000012
【図１１】
0003182256.tif 000013
【図１２】
0003182256.tif 000014